Podtech/llm-jp-corpus-v4-ja_patent huggingface dataset:
【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
電極として陽極及び陰極が収容された電解槽を有し、被処理液を電気分解する電解装置と、
海水を供給する海水供給ラインと接続され、且つ、前記電解装置で処理された被処理液を一時貯留する調整槽と、
前記調整槽と前記電解槽の流入口とを接続する第一リサイクルラインと、
前記調整槽と前記電解槽の流出口とを接続する第二リサイクルラインと、
前記調整槽中で析出物質の沈殿を防止する防止手段と、を有し、
前記調整槽に貯留され、微粒子及び前記微粒子が析出してなる前記析出物質を含む貯留液の一部を、前記第一リサイクルラインを介して前記電解槽に戻すことを特徴とする電解システム。
【請求項２】
前記防止手段は、前記調整槽に貯留された前記貯留液中に、前記第二リサイクルラインを介して前記被処理液を吐出する吐出管を有する請求項1に記載の電解システム。
【請求項３】
前記吐出管は、前記調整槽に貯留された前記貯留液に旋回流を生じる方向へ吐出される請求項２に記載の電解システム。
【請求項４】
前記防止手段は、前記調整槽の上下方向に延在して前記調整槽の内部を上昇部と下降部とに区分する壁部材と、前記上昇部の下部に空気を供給する空気供給部と、を有する空気式攪拌装置である請求項１に記載の電解システム。
【請求項５】
前記防止手段は、前記調整槽中の前記貯留液を機械的に攪拌する機械式攪拌装置である請求項１に記載の電解システム。
【請求項６】
前記陽極は、酸化イリジウムを含むコーティング材をチタンにて被覆してなる請求項１から請求項５のいずれか一項に記載の電解システム。
【請求項７】
前記第一リサイクルラインから一部の電解液を所定の場所へ供給する注入ラインと、
前記海水供給ラインの海水の一部を前記注入ラインへ分岐する分岐ラインを有することを特徴とする請求項１から請求項５のいずれか一項に記載の電解システム。
【手続補正２】
【補正対象書類名】明細書
【補正対象項目名】０００７
【補正方法】変更
【補正の内容】
【０００７】
本発明の第一の態様によれば、電解システムは、電極として陽極及び陰極が収容された電解槽を有し、被処理液を電気分解する電解装置と、海水を供給する海水供給ラインと接続され、且つ、前記電解装置で処理された被処理液を一時貯留する調整槽と、前記調整槽と前記電解槽の流入口とを接続する第一リサイクルラインと、前記調整槽と前記電解槽の流出口とを接続する第二リサイクルラインと、前記調整槽中で析出物質の沈殿を防止する防止手段と、を有し、前記調整槽に貯留され、微粒子及び前記微粒子が析出してなる前記析出物質を含む貯留液の一部を、前記第一リサイクルラインを介して前記電解槽に戻すことを特徴とする。
【手続補正３】
【補正対象書類名】明細書
【補正対象項目名】０００９
【補正方法】変更
【補正の内容】
【０００９】
上記電解システムにおいて、前記防止手段は、前記調整槽に貯留された前記貯留液中に、前記第二リサイクルラインを介して前記被処理液を吐出する吐出管を有してよい。
【手続補正４】
【補正対象書類名】明細書
【補正対象項目名】００１９
【補正方法】変更
【補正の内容】
【００１９】
上記電解システムにおいて、前記第一リサイクルラインから一部の電解液を所定の場所へ供給する注入ラインと、前記海水供給ラインの海水の一部を前記注入ラインへ分岐する分岐ラインを有してよい。
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
コンピューターに、
ゲームステージへの参加条件を指定した複数のゲストプレイヤーの中からマッチング候補としてゲーム画面に一覧表示される複数のゲストプレイヤーを抽出し、かつ、抽出された複数の前記ゲストプレイヤーが各自の参加条件に対応付けて一覧表示されたゲーム画面にて、ゲームステージを選択したホストプレイヤーがその一覧の中から指定したいずれかのゲストプレイヤーを、当該ホストプレイヤーとマッチングするマッチング処理と、
マッチングされた前記ホストプレイヤー及び前記ゲストプレイヤーがマルチプレイを行なって前記ゲームステージをクリアした場合に、前記ゲストプレイヤーが指定した参加条件に基づいて各プレイヤーに与えられるクリア報酬の分配を行なう報酬分配処理と、
を実行させることを特徴とするゲームプログラム。
【請求項２】
請求項１に記載のゲームプログラムであって、
前記マッチング処理では、前記ホストプレイヤーによって選択されたゲームステージが満たす参加条件を指定したゲストプレイヤーをマッチング候補として抽出する、
ことを特徴とするゲームプログラム。
【請求項３】
請求項１又は２に記載のゲームプログラムであって、
前記ゲストプレイヤーが指定した参加条件には、ゲームステージをクリアした場合に与えられるクリア報酬の獲得に関する条件が含まれる、
ことを特徴とするゲームプログラム。
【請求項４】
請求項３に記載のゲームプログラムであって、
前記報酬分配処理では、ゲームステージをクリアした場合に与えられるクリア報酬の獲得に関する条件を参加条件として指定した前記ゲストプレイヤーに対し、当該ゲストプレイヤーが獲得を希望するクリア報酬を優先的に付与する、
ことを特徴とするゲームプログラム。
【請求項５】
ゲームステージへの参加条件を指定した複数のゲストプレイヤーの中からマッチング候補としてゲーム画面に一覧表示される複数のゲストプレイヤーを抽出し、かつ、抽出された複数の前記ゲストプレイヤーが各自の参加条件に対応付けて一覧表示されたゲーム画面にて、ゲームステージを選択したホストプレイヤーがその一覧の中から指定したいずれかのゲストプレイヤーを、当該ホストプレイヤーとマッチングするマッチング処理部と、
マッチングされた前記ホストプレイヤー及び前記ゲストプレイヤーがマルチプレイを行なって前記ゲームステージをクリアした場合に、前記ゲストプレイヤーが指定した参加条件に基づいて各プレイヤーに与えられるクリア報酬の分配を行なう報酬分配処理部と、
を備えたことを特徴とする情報処理装置。
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
患者眼の眼内に挿入される多焦点眼内レンズであって、
前面の光学面および後面の光学面を有し、入射光を集光させる光学部を備え、
前記光学部は、
前記光学面の一部の領域に形成され、前記入射光を回折させて少なくとも第１焦点位置に集光させる回折格子が設けられる回折領域と、
前記回折領域が設けられた前記光学面のうち、前記回折領域以外の領域に曲面または平面によって形成され、前記第１焦点位置よりも遠方または近方の第２焦点位置に前記入射光を集光させる非回折領域と、
を備えることを特徴とする多焦点眼内レンズ。
【請求項２】
請求項１の多焦点眼内レンズであって、
前記回折領域および前記非回折領域のうち近方に前記入射光を集光させる領域の面積が、前記光学部の光軸を中心とする円の内側の領域において占める割合は、前記円の径が大きくなるほど小さくなることを特徴とする多焦点眼内レンズ。
【請求項３】
請求項１の多焦点眼内レンズであって、
少なくとも、前記光学部の光軸を中心とする円の径が前記患者眼の最小瞳孔径よりも大きい所定の径以上となる大径領域において、
前記回折領域および前記非回折領域のうち近方に前記入射光を集光させる領域の面積が、前記円の内側の領域において占める割合は、前記円の径が大きくなるほど小さくなることを特徴とする多焦点眼内レンズ。
【手続補正書】
【提出日】平成29年11月28日(2017.11.28)
【手続補正１】
【補正対象書類名】特許請求の範囲
【補正対象項目名】請求項１
【補正方法】変更
【補正の内容】
【請求項１】
遊技の進行を制御するメイン制御手段と、
前記メイン制御手段によって制御される表示手段と
を備え、
前記表示手段は、複数のセグメントで構成される第１表示部と第２表示部とを有し、
前記メイン制御手段は、
前記表示手段に表示するための情報を記憶可能な表示データ記憶手段と、
割込み処理によって更新可能なカウンタと、
セグメント情報を記憶したセグメントテーブルと
を備え、
前記メイン制御手段は、
所定のエラー状態である状況下であっても、前記割込み処理が実行可能であり、
前記所定のエラー状態である状況下において、
前記カウンタが第１表示部を点灯させる値となったときには、前記表示データ記憶手段に記憶されている情報から生成した第１情報と前記セグメントテーブルとに基づいて第１表示部のセグメント情報を指定し、第１表示部の所定のセグメントを点灯可能とし、
前記カウンタが第２表示部を点灯させる値となったときには、前記表示データ記憶手段に記憶されている情報から生成した第２情報と前記セグメントテーブルとに基づいて第２表示部のセグメント情報を指定し、第２表示部の特定のセグメントを点灯可能とする
ことを特徴とする遊技機。
【手続補正２】
【補正対象書類名】明細書
【補正対象項目名】０００１
【補正方法】変更
【補正の内容】
【０００１】
本発明は、ダイナミック点灯により表示手段を制御する遊技機に関するものである。
【手続補正３】
【補正対象書類名】明細書
【補正対象項目名】０００２
【補正方法】変更
【補正の内容】
【０００２】
従来より、遊技機、たとえばスロットマシンでは、メダル枚数を表示する表示部や、設定値を表示する表示部が設けられている。そして、この表示部としては、たとえばセブンセグメント表示器（いわゆる７セグ）が用いられる。
ここで、払出し枚数を表示する払出し枚数表示器５０と、スロットマシンの設定値を表示する設定値表示器６０とを設け、切替えスイッチ１００により、払出し枚数表示器５０の一位表示器５２又は設定値表示器６０のいずれか一方を択一的に点灯させる方法が知られている（たとえば、特許文献１参照）。
【手続補正４】
【補正対象書類名】明細書
【補正対象項目名】０００４
【補正方法】変更
【補正の内容】
【０００４】
特許文献１の技術では、切替えスイッチ１００（設定キースイッチ）のオン／オフにより点灯させる表示器を切り替えることができるが、手動によるものであるので、自動制御による複数個の７セグのダイナミック点灯制御ではない。
本発明が解決しようとする課題は、スロットマシン等の遊技機において、複数の表示部のダイナミック点灯を可能にすることである。
【手続補正５】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
本発明は、
遊技の進行を制御するメイン制御手段（メイン制御基板６０）と、
前記メイン制御手段によって制御される表示手段（獲得数表示ＬＥＤ７２）と
を備え、
前記表示手段は、複数のセグメントで構成される第１表示部（デジット３）と第２表示部（デジット４）とを有し、
前記メイン制御手段は、
前記表示手段に表示するための情報を記憶可能な表示データ記憶手段（ＲＷＭ６１の獲得枚数表示データ）と、
割込み処理（図４８）によって更新可能なカウンタ（ＬＥＤ表示要求カウンタ）と、
セグメント情報を記憶したセグメントテーブル（図１０のＬＥＤセグメントテーブル）と
を備え、
前記メイン制御手段は、
所定のエラー（復帰可能エラー）状態である状況下であっても、前記割込み処理が実行可能であり、
前記所定のエラー状態である状況下において、
前記カウンタが第１表示部を点灯させる値となったときには、前記表示データ記憶手段に記憶されている情報から生成した第１情報と前記セグメントテーブルとに基づいて第１表示部のセグメント情報を指定し、第１表示部の所定のセグメントを点灯可能とし、
前記カウンタが第２表示部を点灯させる値となったときには、前記表示データ記憶手段に記憶されている情報から生成した第２情報と前記セグメントテーブルとに基づいて第２表示部のセグメント情報を指定し、第２表示部の特定のセグメントを点灯可能とする（図４９；ＬＥＤ表示制御（IS_LED_OUT））
ことを特徴とする。
【手続補正６】
【補正対象書類名】明細書
【補正対象項目名】０００６
【補正方法】変更
【補正の内容】
【０００６】
本発明によれば、たとえば遊技機で実行する情報処理の１つである割込み処理の周期を利用してカウンタを更新し、所定のエラー状態が発生している状況下において、複数の表示部のダイナミック点灯制御を行うことができる。
【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
被検眼の共焦点画像及び非共焦点画像を撮像する撮像手段と、
前記撮像された共焦点画像及び非共焦点画像の少なくとも一方を表示可能な表示手段と、
前記撮像された共焦点画像及び非共焦点画像を解析する解析手段と、
前記解析手段による解析結果に応じて前記表示手段で表示する表示形態を変更する表示制御手段と、を有することを特徴とする撮像装置。
【請求項２】
前記解析手段は、前記撮像された共焦点画像及び非共焦点画像を複数の領域に分割する画像分割手段を有し、
前記解析手段による前記撮像された共焦点画像及び非共焦点画像の解析は、前記撮像された共焦点画像及び非共焦点画像の複数に分割された各々の領域に対して実行されることを特徴とする請求項１に記載の撮像装置。
【請求項３】
前記表示制御手段は、前記解析手段による解析結果を被検者に通知する通知形態を前記表示手段に表示させることを特徴とする請求項１又は２に記載の撮像装置。
【請求項４】
前記解析手段は、所定の評価項目についての前記撮像された共焦点画像及び非共焦点画像における評価値を算出する評価値算出手段を有し、
前記表示制御手段は前記撮像された共焦点画像及び非共焦点画像において対応する前記評価値の比較結果に応じて前記表示形態を変更することを特徴とする請求項１乃至３の何れか一項に記載の撮像装置。
【請求項５】
前記表示制御手段は、前記評価値を比較した際に、前記非共焦点画像の評価値が前記共焦点画像の評価値よりも所定値以上大きい場合に前記共焦点画像を前記非共焦点画像に置き換えることを特徴とする請求項４に記載の撮像装置。
【請求項６】
前記解析手段は、前記評価値を比較した際に、前記非共焦点画像の評価値と前記共焦点画像の評価値との差に応じてランク付けをし、
前記表示制御手段は前記付けられたランクに応じて前記共焦点画像を前記非共焦点画像に置き換える際の態様を変えることを特徴とする請求項４に記載の撮像装置。
【請求項７】
前記解析手段は、前記被検眼の視細胞の状態を解析することを特徴する請求項１乃至６の何れか一項に記載の撮像装置。
【請求項８】
被検眼の共焦点画像及び非共焦点画像を撮像する工程と、
前記撮像された共焦点画像及び非共焦点画像の少なくとも一方を表示手段に表示する工程と、
前記撮像された共焦点画像及び非共焦点画像を解析する工程と、
前記解析する工程における解析結果に応じて前記表示手段で表示する表示形態を変更する工程と、を有することを特徴とする撮像装置の制御方法。
【請求項９】
請求項８に記載の撮像装置の制御方法の各工程をコンピュータに実行させることを特徴とするプログラム。
【手続補正書】
【提出日】平成30年2月5日(2018.2.5)
【手続補正１】
【補正対象書類名】特許請求の範囲
【補正対象項目名】請求項２
【補正方法】変更
【補正の内容】
【請求項２】
遊技領域に設けられた第１始動口と、
遊技領域の、前記第１始動口とは異なる位置に設けられた第２始動口と、
遊技領域に対して発射された遊技球が入球可能な入球口を備え、該入球口から遊技球が入球すると、該遊技球を、前記第１始動口および前記第２始動口に交互に振り分けて入球させる振分装置と、
前記第１始動口への入球に起因して乱数値を抽出する乱数抽出手段と、
前記第２始動口への入球に起因して抽出された乱数値を複数記憶可能な第２保留手段と、
前記各乱数値に基づいて、変動表示の後に確定表示する特別図柄を設定する特別図柄設定手段と、
該特別図柄設定手段によって設定された特別図柄を表示する特別図柄表示装置と、
前記第２保留手段に記憶されている乱数値を発生順に参照し、該各乱数値に基づいて当否判定を行う当否判定手段と、
前記特別図柄設定手段により確定表示された特別図柄が、予め当りと設定された特別図柄であった場合には、大当り遊技を発生させるものであって、前記第１始動口への入球に起因して発生される大当り遊技は、前記第２始動口への入球に起因して発生される大当り遊技よりも遊技者に有利な内容となっている大当り遊技発生手段と、
を備えた弾球遊技機において、
前記当否判定手段は、前記大当り遊技が発生されておらず且つ前記第２保留手段に乱数値が記憶されていない場合に限り、前記乱数抽出手段が抽出した乱数値に基づいて当否判定を行うものであることを特徴とする弾球遊技機。
【手続補正２】
【補正対象書類名】明細書
【補正対象項目名】０００９
【補正方法】変更
【補正の内容】
【０００９】
請求項２に記載の本発明は、遊技領域に設けられた第１始動口と、遊技領域の、前記第１始動口とは異なる位置に設けられた第２始動口と、遊技領域に対して発射された遊技球が入球可能な入球口を備え、該入球口から遊技球が入球すると、該遊技球を、前記第１始動口および前記第２始動口に交互に振り分けて入球させる振分装置と、前記第１始動口への入球に起因して乱数値を抽出する乱数抽出手段と、前記第２始動口への入球に起因して抽出された乱数値を複数記憶可能な第２保留手段と、前記各乱数値に基づいて、変動表示の後に確定表示する特別図柄を設定する特別図柄設定手段と、該特別図柄設定手段によって設定された特別図柄を表示する特別図柄表示装置と、前記第２保留手段に記憶されている乱数値を発生順に参照し、該各乱数値に基づいて当否判定を行う当否判定手段と、前記特別図柄設定手段により確定表示された特別図柄が、予め当りと設定された特別図柄であった場合には、大当り遊技を発生させるものであって、前記第１始動口への入球に起因して発生される大当り遊技は、前記第２始動口への入球に起因して発生される大当り遊技よりも遊技者に有利な内容となっている大当り遊技発生手段と、を備えた弾球遊技機において、前記当否判定手段は、前記大当り遊技が発生されておらず且つ前記第２保留手段に乱数値が記憶されていない場合に限り、前記乱数抽出手段が抽出した乱数値に基づいて当否判定を行うものであることを特徴とする。
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
ワーク搬送用パレット(11)と、
前記ワーク搬送用パレット(11)を移動可能に搭載する複数のガイドレール(21,22,121,122,221,321)と、
前記複数のガイドレール(21,22,121,122,221,321)に沿って前記ワーク搬送用パレット(11)を搬送させるパレット送り手段(31,131,231,331)と、
前記複数のガイドレール(21,22,121,122,221,321)のうち一のガイドレールから別のガイドレールに前記ワーク搬送用パレット(11)を移動させるパレット移動手段(41,51,61,141,151,161,181)とを備えたパレット搬送装置であって、
前記パレット送り手段(31,131,231,331)は、前記複数のガイドレール(21,22,121,122,221,321)に沿って設けられ所定の方向に循環する循環ベルト(32,132,232,332)を備え、
前記ワーク搬送用パレット(11)は、ワークを搭載する表裏の主面及び複数の側面からなる平板状の台座(13)と、前記台座(13)の前記表裏の主面と前記複数の側面のうちの少なくとも２面に設けられ前記循環ベルト(32,132,232,332)に係止するように構成される係止部材(14)と、を備え、
前記パレット送り手段(31,131,231,331)は、前記台座(13)の一の面に設けられた前記係止部材(14)が前記循環ベルト(32,132,232,332)に係止された状態で、前記一のガイドレール上で前記ワーク搬送用パレット(11)を搬送するとともに、前記台座(13)の他の面に設けられた前記係止部材(14)が前記循環ベルト(32,132,232,332)に係止された状態で、前記別のガイドレール上で前記ワーク搬送用パレット(11)を搬送し、
前記パレット移動手段(41,51,61,141,151,161,181)は、前記一のガイドレールから前記ワーク搬送用パレット(11)を移動可能に搭載する短レール(42,142,52,152,62,162,82,182)と、前記短レール(42,142,52,152,62,162,82,182)に搭載された前記ワーク搬送用パレット(11)の前記他の面に設けられた前記係止部材(14)に係止するように構成される補助ベルト(47,147,57,157,67, 192)と、を有する、
ことを特徴とするパレット搬送装置。
【請求項２】
前記循環ベルト(32,132,232,332)及び前記補助ベルト(47,147,57,157,67, ,192)は、前記ワーク搬送用パレット(11)が前記一のガイドレールと前記短レール(42,142,52,152,62,162,82,182)の境界上に位置する状態では、それぞれ、前記一の面に設けられた前記係止部材(14)と前記他の面に設けられた前記係止部材(14)とに係止する、請求項１に記載のパレット搬送装置。
【請求項３】
パレット移動手段(41,51,61,141,151,161,181)は、上方に位置するガイドレール(21, 121)と下方に位置するガイドレール(22,122)との間でパレット(11)を昇降移動させるパレット移動手段(41,141,51,151)、または、一方の側に位置するガイドレール(21,22)と他方の側に位置するガイドレール(121,122)との間においてパレット(11)を水平移動させるパレット移動手段(61,161)、または、前記複数のガイドレール(21,22,121,122,321)の間でパレット(11)を水平又は昇降移動させるパレット移動手段(181)、である請求項１に記載のパレット搬送装置。
【手続補正２】
【補正対象書類名】明細書
【補正対象項目名】発明の名称
【補正方法】変更
【補正の内容】
【発明の名称】パレット搬送装置
【手続補正３】
【補正対象書類名】明細書
【補正対象項目名】０００１
【補正方法】変更
【補正の内容】
【０００１】
本発明は、ワークステーションに対してワークを載せたワーク搬送用パレットを搬送するパレット搬送装置に関するものである。
【手続補正４】
【補正対象書類名】明細書
【補正対象項目名】０００９
【補正方法】変更
【補正の内容】
【０００９】
本発明の目的は、搬送経路を容易に変更し得るパレット搬送装置を提供することにある。
【手続補正５】
【補正対象書類名】明細書
【補正対象項目名】００１０
【補正方法】変更
【補正の内容】
【００１０】
本発明は、ワーク搬送用パレットと、ワーク搬送用パレットを移動可能に搭載する複数のガイドレールと、複数のガイドレールに沿ってワーク搬送用パレットを搬送させるパレット送り手段と、複数のガイドレールのうち一のガイドレールから別のガイドレールにワーク搬送用パレットを移動させるパレット移動手段とを備えたパレット搬送装置の改良である。
【手続補正６】
【補正対象書類名】明細書
【補正対象項目名】００１１
【補正方法】変更
【補正の内容】
【００１１】
その特徴ある構成は、パレット送り手段は、複数のガイドレールに沿って設けられ所定の方向に循環する循環ベルトを備え、ワーク搬送用パレットは、ワークを搭載する表裏の主面及び複数の側面からなる平板状の台座と、台座の表裏の主面と複数の側面のうちの少なくとも２面に設けられ循環ベルトに係止するように構成される係止部材と、を備え、パレット送り手段は、台座の一の面に設けられた係止部材が循環ベルトに係止された状態で、一のガイドレール上でワーク搬送用パレットを搬送するとともに、台座の他の面に設けられた係止部材が循環ベルトに係止された状態で、別のガイドレール上でワーク搬送用パレットを搬送し、パレット移動手段は、一のガイドレールからワーク搬送用パレットを移動可能に搭載する短レールと、短レールに搭載されたワーク搬送用パレットの他の面に設けられた係止部材に係止するように構成される補助ベルトと、を有する、ところにある。
【手続補正７】
【補正対象書類名】明細書
【補正対象項目名】００１２
【補正方法】変更
【補正の内容】
【００１２】
そして、循環ベルト及び補助ベルトは、ワーク搬送用パレットが一のガイドレールと短レールの境界上に位置する状態では、それぞれ、一の面に設けられた係止部材と他の面に設けられた係止部材とに係止することが好ましく、パレット移動手段は、上方に位置するガイドレールと下方に位置するガイドレールとの間でパレットを昇降移動させるパレット移動手段、または、一方の側に位置するガイドレールと他方の側に位置するガイドレールとの間においてパレットを水平移動させるパレット移動手段、または、複数のガイドレールの間でパレットを水平又は昇降移動させるパレット移動手段であることが更に好ましい。
【手続補正書】
【提出日】平成30年2月15日(2018.2.15)
【手続補正１】
【補正対象書類名】明細書
【補正対象項目名】０００４
【補正方法】変更
【補正の内容】
【０００４】
図１１は、偏心カム型の鋳型振動装置を示す模式図である。この図１１に示すように、隔壁６上にアーム支持部３が設置されている。そして、このアーム支持部３に設けられた水平回転軸３ａ、３ｂに、夫々、サブアーム４の一端部及びメインアーム５の中間部が、揺動可能に支持されている。また、鋳型１は、振動テーブル２上に支持されていて、この振動テーブル２と共に振動する。そして、サブアーム４の他端部及びメインアーム５の一端部は、夫々、振動テーブル２の水平回転軸２ａ，２ｂに、揺動可能に連結されている。これにより、メインアーム５とサブアーム４とが平行リンクを構成し、回転軸３ａ、３ｂ、２ｂ、２ａの４点が、相互間の距離を一定にして関連して動作する。そして、回転軸３ｂと回転軸２ｂとを結ぶ線分２ｄと、回転軸３ａと回転軸２ａとを結ぶ線分２ｃとを延長すると、両線分２ｃ、２ｄはスイングアーム中心１ａで交差するように、回転軸２ａ、２ｂ間の距離、回転軸３ａ、３ｂ間の距離、回転軸３ａ，２ａ間の距離、及び回転軸３ｂ、２ｂ間の距離が設定されている。これにより、平行リンク（メインアーム５，サブアーム４）が揺動すると、鋳型１がスイングアーム中心１ａを中心として、一定の曲率半径に沿って上下方向に振動（スイング）する。
【手続補正２】
【補正対象書類名】明細書
【補正対象項目名】０００９
【補正方法】変更
【補正の内容】
【０００９】
この電動サーボ型鋳型振動装置においては、サーボモータ２２の回転軸２３が正逆回転すると、ベルト２６を介して、その回転駆動力がシリンダチューブ３３内のねじ軸２９に伝達され、ねじ軸２９が正逆回転する。そして、ねじ軸２９の正逆回転により、ねじ軸２９に螺嵌したボールナット３０が上下動し、ボールナット３０の上端に固定されたナット側軸３１が上下動する。これにより、ナット側軸３１の上端部が回転軸７を介して連結されたメインアーム５が、回転軸３ｂを中心として揺動する。このメインアーム５の揺動によりサブアーム４も追従して揺動し、鋳型１が上下方向に振動する。
【手続補正３】
【補正対象書類名】明細書
【補正対象項目名】００２９
【補正方法】変更
【補正の内容】
【００２９】
また、本実施形態においては、ベース２１の下方には、潤滑油タンク４１が設置されており、潤滑油タンク４１の上に設置された小型ポンプ４０により、潤滑油タンク４１内の潤滑油がシリンダチューブ３３の上部に設けた流入口９０（図５参照）に、供給管４３（図１参照）を介して供給される。シリンダチューブ３３内に供給された潤滑油は、ケースの下部において軸受押さえ８０に設けた流出口９１から回収管４２（図１，図２参照）を介して潤滑油タンク４１に回収される。流入口を設ける位置は、流出口よりも上方であれば特に制限はないが、本実施形態のようにボールスプライン等の上下動可能かつ回転不能に第２軸（本実施形態ではナット側軸３１）を支持する要素の上側に設けることが好ましい。これにより、この支持要素を潤滑する潤滑油もフィルタを通して供給装置により供給されるため、混入異物が取り除かれた潤滑油での潤滑が可能となる。
【手続補正４】
【補正対象書類名】明細書
【補正対象項目名】００３１
【補正方法】変更
【補正の内容】
【００３１】
そして、押さえ８０の上面側には、溝８１から上縁８５の半径方向外側にまで及ぶ領域に長円形状の座ぐり部８５ａが形成されており、この座ぐり部８５ａの底部のうち半径方向外側の部分に押さえ８０を板厚方向に貫通する流路８７が形成されている。潤滑油は、この押さえ８０内の流路８７を通って流出口９１から流出し、回収管４２により前記潤滑油タンク４１に導かれる。本実施形態においては、シリンダチューブ３３、軸受支持部２８、軸受押さえ８０が本発明のケースとして機能する。
【手続補正５】
【補正対象書類名】明細書
【補正対象項目名】００３５
【補正方法】変更
【補正の内容】
【００３５】
このように、本実施形態においては、トラニオン軸受９５が、軸受５５に対する上下方向の相対移動が不可能となるように設けられているとともに、鋳型振動装置が動作を停止した状態における軸受５５とナット側軸３１との上下方向の相対位置を変更可能に構成されている。従って、鋳型振動装置が動作を停止した状態におけるねじ軸２９とボールナット３０との螺合位置を変更することができ、第１実施形態と同様の効果が得られ、鋳型振動装置のアクチュエータの寿命を長期化することができる。
【手続補正６】
【補正対象書類名】図面
【補正対象項目名】図２
【補正方法】変更
【補正の内容】
【図２】
2016150373.tif 000001
【手続補正７】
【補正対象書類名】図面
【補正対象項目名】図３
【補正方法】変更
【補正の内容】
【図３】
2016150373.tif 000002
【手続補正８】
【補正対象書類名】図面
【補正対象項目名】図５
【補正方法】変更
【補正の内容】
【図５】
2016150373.tif 000003
【手続補正９】
【補正対象書類名】図面
【補正対象項目名】図６
【補正方法】変更
【補正の内容】
【図６】
2016150373.tif 000004
【手続補正書】
【提出日】平成30年2月15日(2018.2.15)
【手続補正１】
【補正対象書類名】明細書
【補正対象項目名】０００４
【補正方法】変更
【補正の内容】
【０００４】
図８は、偏心カム型の鋳型振動装置を示す模式図である。この図８に示すように、隔壁６上にアーム支持部３が設置されている。そして、このアーム支持部３に設けられた水平回転軸３ａ、３ｂに、夫々、サブアーム４の一端部及びメインアーム５の中間部が、揺動可能に支持されている。また、鋳型１は、振動テーブル２上に支持されていて、この振動テーブル２と共に振動する。そして、サブアーム４の他端部及びメインアーム５の一端部は、夫々、振動テーブル２の水平回転軸２ａ，２ｂに、揺動可能に連結されている。これにより、メインアーム５とサブアーム４とが平行リンクを構成し、回転軸３ａ、３ｂ、２ｂ、２ａの４点が、相互間の距離を一定にして関連して動作する。そして、回転軸３ｂと回転軸２ｂとを結ぶ線分２ｄと、回転軸３ａと回転軸２ａとを結ぶ線分２ｃとを延長すると、両線分２ｃ、２ｄはスイングアーム中心１ａで交差するように、回転軸２ａ、２ｂ間の距離、回転軸３ａ、３ｂ間の距離、回転軸３ａ，２ａ間の距離、及び回転軸３ｂ、２ｂ間の距離が設定されている。これにより、平行リンク（メインアーム５，サブアーム４）が揺動すると、鋳型１がスイングアーム中心１ａを中心として、一定の曲率半径に沿って上下方向に振動（スイング）する。
【手続補正２】
【補正対象書類名】明細書
【補正対象項目名】００２７
【補正方法】変更
【補正の内容】
【００２７】
ベース２１の下方には、潤滑油タンク４１が設置されており、潤滑油タンク４１の上に設置された小型ポンプ４０により、潤滑油タンク４１内の潤滑油がシリンダチューブ３３の上部に設けた流入口９０（図５参照）に、供給管４３（図１参照）を介して供給される。シリンダチューブ３３内に供給された潤滑油は、ケースの下部において軸受押さえ８０に設けた流出口９１から回収管４２（図１，図２参照）を介して潤滑油タンク４１に回収される。流入口を設ける位置は、流出口よりも上方であれば特に制限はないが、本実施形態のようにボールスプライン等の上下動可能かつ回転不能に第２軸（本実施形態ではナット側軸３１）を支持する要素の上側に設けることが好ましい。これにより、この支持要素を潤滑する潤滑油もフィルタを通して供給装置により供給されるため、混入異物が取り除かれた潤滑油での潤滑が可能となる。
【手続補正３】
【補正対象書類名】明細書
【補正対象項目名】００２９
【補正方法】変更
【補正の内容】
【００２９】
そして、押さえ８０の上面側には、溝８１から上縁８５の半径方向外側にまで及ぶ領域に長円形状の座ぐり部８５ａが形成されており、この座ぐり部８５ａの底部のうち半径方向外側の部分に押さえ８０を板厚方向に貫通する流路８７が形成されている。潤滑油はこの押さえ８０内の流路８７を通って流出口９１から流出し、回収管４２により前記潤滑油タンク４１に導かれる。本実施形態においては、シリンダチューブ３３、軸受支持部２８、軸受押さえ８０が本発明のケースとして機能する。
【手続補正４】
【補正対象書類名】図面
【補正対象項目名】図２
【補正方法】変更
【補正の内容】
【図２】
2016150372.tif 000001
【手続補正５】
【補正対象書類名】図面
【補正対象項目名】図３
【補正方法】変更
【補正の内容】
【図３】
2016150372.tif 000002
【手続補正６】
【補正対象書類名】図面
【補正対象項目名】図５
【補正方法】変更
【補正の内容】
【図５】
2016150372.tif 000003
【手続補正７】
【補正対象書類名】図面
【補正対象項目名】図６
【補正方法】変更
【補正の内容】
【図６】
2016150372.tif 000004
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
水平方向に離間して設けられパレット(11)を移動可能に搭載する一対の第一ガイドレール(21,121)と、
前記一対の第一ガイドレール(21,121)から鉛直方向下方に所定の間隔を開けて前記一対の第一ガイドレール(21,121)と平行に設けられ前記パレット(11)を移動可能に搭載する一対の第二ガイドレール(22,122)と、
一方の側の前記第一及び第二ガイドレール(21,22)に沿って無端で設けられ、前記パレット(11)と係合可能な凹凸(32a,32b)がその一主面に形成される第一循環ベルト(32)と、
前記パレット(11)が係合した状態で、前記第一循環ベルト(32)を回動させることにより、前記パレット(11)を搬送する第一パレット送り手段(31)と、
他方の側の前記第一及び第二ガイドレール(121,122)に沿って無端で設けられ、前記パレット(11)と係合可能な凹凸(132a,132b)がその一主面に形成される第二循環ベルト(132)と、
前記パレット(11)が係合した状態で、前記第二循環ベルト(132)を回動させることにより、前記パレット(11)を搬送する第二パレット送り手段(131)と
を備え、
前記パレット(11)は、鉛直方向上方に設けられた前記一対の第一ガイドレール(21,121)に沿って移動する際には、前記第一及び第二循環ベルト(32,132)の上側に係合され、鉛直方向下方に設けられた前記一対の第二ガイドレール(22,122)に沿って移動する際には、前記第一及び第二循環ベルト(32,132)の下側に係合される
パレット搬送装置であって、
一方の側において鉛直方向に離間する前記第一及び第二ガイドレール(21,22)の一端部側、及び他方の側において鉛直方向に離間する前記第一及び第二ガイドレール(121,122)の一端部側にそれぞれ設けられ、前記パレット(11)を昇降させて前記パレット(11)を前記第一及び第二ガイドレール(21,22,121,122)の一方から他方に移動させる一対の第一パレット移動手段(41,141)と、
水平方向に離間する前記一対の第一ガイドレール(21,121)の他端部側、及び水平方向に離間する前記一対の第二ガイドレール(22,122)の他端部側のいずれか一方又は双方に設けられ、前記パレット(11)を水平方向に移動させて前記一対の第一ガイドレール(21,121)間、及び前記一対の第二ガイドレール(22,122)間のいずれか一方又は双方において前記パレット(11)を移動させる第三パレット移動手段(61,161)と
を備えた
ことを特徴とするパレット搬送装置。
【請求項２】
一方の側において鉛直方向に離間する前記第一及び第二ガイドレール(21,22)が他方の側において鉛直方向に離間する前記第一及び第二ガイドレール(121,122)と平行に設けられた請求項１に記載のパレット搬送装置。
【請求項３】
前記一対の第一パレット移動手段(41,141)は、
前記パレット(11)を搭載可能に構成された第一短レール(42,142)と、
前記第一短レール(42,142)に沿って無端で設けられ、前記パレット(11)と係合可能な凹凸(47a,47b,147a,147b)がその一主面に形成される第一補助ベルト(47,147)と、
をそれぞれ備える
請求項１に記載のパレット搬送装置。
【請求項４】
一方の側において鉛直方向に離間する前記第一及び第二ガイドレール(21,22)の他端部側、及び他方の側において鉛直方向に離間する前記第一及び第二ガイドレール(121,122)の他端部側のいずれか一方又は双方に設けられ、前記パレット(11)を昇降させて前記パレット(11)を前記第一及び第二ガイドレール(21,22,121,122)の一方から他方に移動させる第二パレット移動手段(51,151)をさらに備えた
請求項１に記載のパレット搬送装置。
【請求項５】
前記第二パレット移動手段(51,151)は、
前記パレット(11)を搭載可能に構成された第二短レール(52,152)と、
前記第二短レール(52,152)に沿って無端で設けられ、前記パレット(11)と係合可能な凹凸(57a,57b,157a,157b)がその一主面に形成される第二補助ベルト(57,157)と、
を備えた、
請求項３又は４に記載のパレット搬送装置。
【請求項６】
前記第二補助ベルト(57,157)の凹凸(57a,57b,157a,157b)の向く方向と前記第一及び第二循環ベルト(32,132)の凹凸(32a,32b,132a,132b)の向く方向は互いに直交する請求項５に記載のパレット搬送装置。
【請求項７】
前記第三パレット移動手段(61,161)は、
前記第二短レール(52,152)に隣接し、前記パレット(11)を搭載可能に構成された第三短レール(62,162)と、
前記第三短レール(62,162)に沿って無端で設けられ、前記パレット(11)と係合可能な凹凸(67a,67b,167a,167b)がその一主面に形成される第三補助ベルト(67,167)と
を備えた
請求項５又は６に記載のパレット搬送装置。
【請求項８】
前記第三補助ベルト(67,167)における凹凸(67a,67b,167a,167b)が設けられ前記第三短レール(62,162)に沿った前記一主面は、対応する前記第二補助ベルト(57,157)における凹凸(57a,57b,157a,157b)が設けられ前記第二短レール(52,152)に沿った前記一主面と実質的に同一平面上にある、
請求項７に記載のパレット搬送装置。
【請求項９】
前記パレット(11)は、
ワークを搭載する表裏の主面及び複数の側面からなる平板状の台座(13)と、
前記第一循環ベルト(32)又は前記第二循環ベルト(132)の凹凸(32a,32b,132a,132b)に係合可能な被凹凸(14a,14b)を有する係止部材(14)と、
を備え、
前記係止部材(14)は、前記台座(13)の少なくとも前記両主面に設けられる
請求項１に記載のパレット搬送装置。
【請求項１０】
前記パレット(11)は、
ワークを搭載する表裏の主面及び複数の側面からなる平板状の台座(13)と、
前記第一循環ベルト(32)、前記第二循環ベルト(132)又は前記第一補助ベルト(47,147)の凹凸(32a,32b,47a,47b,132a,132b,147a,147b)に係合可能な被凹凸(14a,14b)を有する第一係止部材(14)と、
前記第二補助ベルト(57,157)又は前記第三補助ベルト(67,167)の凹凸(57a,57b,67a,67b,157a,157b,167a,167b)に係合可能な被凹凸(14a,14b)を有する第二係止部材(14)と、
を備え、
前記第一係止部材(14)は、前記台座(13)の前記両主面に設けられ、前記第二係止部材(14)は、前記台座(13)の側面に設けられる、
請求項７に記載のパレット搬送装置。
【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
シアニジン、ルテオリニジン及びイデインから選択される少なくとも１種の化合物を有効成分として含有することを特徴とするヒトキマーゼ阻害剤。
【請求項２】
請求項１に記載のヒトキマーゼ阻害剤を含有する機能性食品。
【請求項３】
シアニジン、ルテオリニジン及びイデインから選択される少なくとも１種の化合物をヒトキマーゼに接触させる工程を含むことを特徴とするヒトキマーゼの活性を阻害する方法（但し、ヒトに対する医療行為を除く）。
【手続補正２】
【補正対象書類名】明細書
【補正対象項目名】発明の名称
【補正方法】変更
【補正の内容】
【発明の名称】ヒトキマーゼ阻害剤および機能性食品、並びにヒトキマーゼの活性を阻害する方法
【手続補正書】
【提出日】平成30年1月4日(2018.1.4)
【手続補正１】
【補正対象書類名】特許請求の範囲
【補正対象項目名】請求項６
【補正方法】変更
【補正の内容】
【請求項６】
化学式１で示されるイミダゾリウム系カチオン及び(CH3O)(R3)PO2-（R3は、水素原子、メチル基又はメトキシ基を示す）から構成される第一のイオン液体と、
化学式２で示される第二のイオン液体との混合イオン液体であって、
前記混合イオン液体における前記第二のイオン液体の割合が、モル比で0.5％以上10％以下の範囲であり、
セルロースに対する溶解性及び酸触媒機能を有する、セルロースのエポキシ化処理用混合イオン液体。
【化３】
2016150950.tif 000001
（化学式１中、R1及びR2は、互いに同一である又は異なる炭素数１〜４の直鎖又は分岐アルキル基を示す）
【化４】
2016150950.tif 000002
（化学式２中、Rは、炭素数１〜４の直鎖又は分岐アルキル基を示し、
ｎは、１〜６の整数であり、
スルホン酸基を有する鎖中には、エチレンオキサイド単位が含まれてもよく、カチオンとアニオンの比は必ずしも当量ではない）
【手続補正書】
【提出日】平成30年1月27日(2018.1.27)
【手続補正１】
【補正対象書類名】特許請求の範囲
【補正対象項目名】全文
【補正方法】変更
【補正の内容】
【特許請求の範囲】
【請求項１】
合成タルクを含有する化粧料であって、
該合成タルクが、２枚の四面体シートで八面体シートをサンドイッチした基本構造を有する、下記一般式（１）で表される２：１型層状ケイ酸塩の結晶を含む薄片状粒子であり、
該薄片状粒子の体積平均粒子径が０．５〜１００μｍであり、ＣｕのＫα線を用いた不定方位粉末Ｘ線回折測定（ＸＲＤ）において２θ＝９．４°±１°に存在するピークの半値半幅が０．３°以下であり、且つ、実質的にＭｇ３Ｓｉ２Ｏ５（ＯＨ）４を含まないものであることを特徴とする化粧料。
ＭｇｘＳｉｙＯ１０（ＯＨ）２  ・・・（１）
（式中、ｘおよびｙは、０．５０≦ｘ／ｙ≦１．２０および６．５≦ｘ＋ｙ≦７．５の条件を満たす値である。）
【請求項２】
前記薄片状粒子の粒度分布の変動係数が３０％以下である請求項1記載の化粧料。
【請求項３】
前記薄片状粒子のＢＥＴ比表面積が２〜２５ｍ２／ｇである請求項1または２記載の化粧料。
【請求項４】
前記薄片状粒子の、ＣｕのＫα線を用いた不定方位粉末Ｘ線回折測定（ＸＲＤ）における２θ＝９．４°±１°に存在するピークの強度が、２θ＝６０．５°±１°に存在するピークの強度の２倍以上である請求項1〜３のいずれかに記載の化粧料。
【請求項５】
前記薄片状粒子の結晶（ａ，ｂ）面の平均短径と平均長径の比（平均短径／平均長径）が０．３〜０．８であり、結晶ｃ軸方向の平均厚さが０．０１〜１μｍであり、平均アスペクト比（平均長径／平均厚さ）が１０〜５００である請求項1〜４のいずれかに記載の化粧料。
【請求項６】
前記薄片状粒子の平均摩擦係数（ＭＩＵ）が０．４０以下であり、平均摩擦係数の変動幅（ＭＭＤ）が０．００３５以下である請求項1〜５のいずれかに記載の化粧料。
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
感光体と、
光源が発する光により前記感光体に光スポットを形成し、当該光スポットを主走査方向に走査することで前記感光体に潜像を形成する走査手段であって、前記感光体を前記光スポットで走査する走査速度は、走査線内において変化する走査手段と、
前記感光体に形成された潜像を現像して現像剤像を形成する現像手段と、
前記現像剤像の濃度を検出する濃度検出手段と、
前記主走査方向の位置に応じて、前記光源の輝度及び発光時間を補正制御する制御手段と、
前記濃度検出手段により検出される前記感光体の走査位置による前記現像剤像の濃度の変化に基づき生成される、前記光スポットの環境による変化、或いは、前記光スポットの前記主走査方向の位置による変化を示すプロファイル情報を保持する保持手段と、
を備えており、
前記制御手段は、前記補正制御に前記プロファイル情報を使用することを特徴とする画像形成装置。
【請求項２】
前記保持手段は、前記走査速度の変化による画素の走査時間の変化を補正するための、画素に対する前記光源の発光時間又は前記光源の輝度を示す走査情報を保持し、
前記制御手段は、前記走査情報及び前記プロファイル情報に基づき前記補正制御を行うことを特徴とする請求項１に記載の画像形成装置。
【請求項３】
前記走査情報は、画素に対する前記光源の発光時間を示し、
前記制御手段は、画素に対する前記光源の発光時間が短くなると、当該画素に対する前記光源の輝度が高くなる様に、画素に対する前記光源の輝度を決定し、前記プロファイル情報に基づき当該画素に対する前記光源の発光時間及び前記決定した輝度のいずれか、又は、両方を補正することを特徴とする請求項２に記載の画像形成装置。
【請求項４】
前記走査情報が示す、画素に対する前記光源の発光時間は、基準画素とは異なる画素においては、当該画素の走査時間より短いことを特徴とする請求項３に記載の画像形成装置。
【請求項５】
前記走査情報は、画素に対する前記光源の輝度を示し、
前記制御手段は、画素に対する前記光源の輝度が高くなると、当該画素に対する前記光源の発光時間が短くなる様に、画素に対する前記光源の発光時間を決定し、前記プロファイル情報に基づき当該画素に対する前記光源の輝度及び前記決定した発光時間のいずれか、又は、両方を補正することを特徴とする請求項２に記載の画像形成装置。
【請求項６】
前記走査情報に基づき決定した画素に対する前記光源の発光時間は、基準画素とは異なる画素においては、当該画素の走査時間より短いことを特徴とする請求項５に記載の画像形成装置。
【請求項７】
前記基準画素は、走査時間の最も長い画素であることを特徴とする請求項４又は６に記載の画像形成装置。
【請求項８】
前記基準画素は、前記走査線の中央の画素であることを特徴とする請求項４又は６に記載の画像形成装置。
【請求項９】
前記走査情報は、画素に対する前記光源の発光時間を示し、
画素に対する前記光源の発光時間は、当該画素に対して使用するスクリーンにより示されることを特徴とする請求項２に記載の画像形成装置。
【請求項１０】
前記スクリーンは、画素の階調に応じて設けられることを特徴とする請求項９に記載の画像形成装置。
【請求項１１】
前記濃度検出手段は、前記主走査方向に沿った複数の位置で濃度を検出し、
前記制御手段は、前記複数の位置それぞれで検出した現像剤像の濃度に基づき、前記感光体の走査位置による濃度の変化を検出することを特徴とする請求項１から１０のいずれか１項に記載の画像形成装置。
【請求項１２】
前記濃度検出手段は、前記走査手段による前記走査線の中央と端部において少なくとも濃度を検出することを特徴とする請求項１１に記載の画像形成装置。
【請求項１３】
前記画像形成装置の温度を検出する温度検出手段をさらに備えており、
前記制御手段は、前記温度検出手段が検出した温度に基づき前記プロファイル情報を生成することを特徴とする請求項１から１２のいずれか１項に記載の画像形成装置。
【請求項１４】
感光体と、
光源が発する光により前記感光体に光スポットを形成し、当該光スポットを主走査方向に走査することで前記感光体に潜像を形成する走査手段であって、前記感光体を前記光スポットで走査する走査速度は、走査線内において変化する走査手段と、
前記感光体に形成された潜像を現像して現像剤像を形成する現像手段と、
前記画像形成装置の温度を検出する温度検出手段と、
前記主走査方向の位置に応じて、前記光源の輝度及び発光時間を補正制御する制御手段と、
前記温度検出手段により検出される温度に基づき生成される、前記光スポットの環境による変化、或いは、前記光スポットの前記主走査方向の位置による変化を示すプロファイル情報を保持する保持手段と、
を備えており、
前記制御手段は、前記補正制御に前記プロファイル情報を使用することを特徴とする画像形成装置。
【手続補正２】
【補正対象書類名】明細書
【補正対象項目名】０００７
【補正方法】変更
【補正の内容】
【０００７】
本発明の一側面によると、画像形成装置は、感光体と、光源が発する光により前記感光体に光スポットを形成し、当該光スポットを主走査方向に走査することで前記感光体に潜像を形成する走査手段であって、前記感光体を前記光スポットで走査する走査速度は、走査線内において変化する走査手段と、前記感光体に形成された潜像を現像して現像剤像を形成する現像手段と、前記現像剤像の濃度を検出する濃度検出手段と、前記主走査方向の位置に応じて、前記光源の輝度及び発光時間を補正制御する制御手段と、前記濃度検出手段により検出される前記感光体の走査位置による前記現像剤像の濃度の変化に基づき生成される、前記光スポットの環境による変化、或いは、前記光スポットの前記主走査方向の位置による変化を示すプロファイル情報を保持する保持手段と、を備えており、前記制御手段は、前記補正制御に前記プロファイル情報を使用することを特徴とする。